(57)【要約】      （修正有）【課題】使用者が足乗せ部材から安全かつ確実に降りることができる運動補助装置を提供する。【解決手段】回転支持部材を介して回転盤１をベース盤２上に回転自在に且つ同一回転中心軸上に載置し、該回転盤１の左右に足乗せ部材４を回動自在に設置して成る運動補助装置において、回転盤１の直径をベース盤２の直径より大きく形成すると共に、足乗せ部材４をベース盤２より外方に配置して、使用者が足乗せ部材４から降りる際に、回転盤１に片足荷重がかかった時、回転盤１の周縁が床面に接触して、その回転を制止するように構成する。【選択図】図２
0003129638.tif 000002
【実用新案登録請求の範囲】
【請求項１】
回転支持部材を介して回転盤をベース盤上に回転自在に且つ同一回転中心軸上に載置し、該回転盤の左右に足乗せ部材を回動自在に設置して成る運動補助装置において、上記回転盤の直径を上記ベース盤の直径より大きく形成すると共に、上記足乗せ部材を上記ベース盤より外方に配置して、使用者が該足乗せ部材から降りる際に、上記回転盤に片足荷重がかかった時、該回転盤の周縁が床面に接触して、該回転盤の回転を制止するように構成したことを特徴とする運動補助装置。
【請求項２】
回転支持部材を介して回転盤をベース盤上に回転自在に且つ同一回転中心軸上に載置し、該回転盤の左右に足乗せ部材を回動自在に設置して成る運動補助装置において、上記回転盤の直径を上記ベース盤の直径より大きく形成すると共に、上記足乗せ部材を上記ベース盤より外方に配置し、該ベース盤の中心にスプライン軸を植設すると共に、該スプライン軸の直径より大きなスプライン穴を上記回転盤の中心に形成して、該スプライン穴を上記スプライン軸の周囲に間隙を保った状態で位置せしめ、使用者が上記足乗せ部材から降りる際に、上記回転盤に片足荷重がかかった時、該回転盤が上記ベース盤に対して傾動して、上記スプライン軸と上記スプライン穴が噛み合い、該回転盤の回転を制止するように構成したことを特徴とする運動補助装置。
【請求項３】
回転支持部材を介して回転盤をベース盤上に回転自在に且つ同一中心軸上に載置し、該回転盤の左右に長方形や長楕円形など長形の足乗せ部材を回動自在に設置して成る運動補助装置において、上記回転盤の直径を上記ベース盤の直径より大きく形成して、使用者が該足乗せ部材から降りる際に、上記回転盤に片足荷重がかかった時、上記足乗せ部材が回動して、その長端部が床面に接触し、該回転盤および足乗せ部材の回転を制止するように構成したことを特徴とする運動補助装置。
【考案の詳細な説明】
【技術分野】
【０００１】
本考案は、腰部、股間接部、大腿部、足首部など腰から下の部分の筋肉を動かして鍛錬するための、運動補助装置、特に、使用者が安全に降りられるようにした運動補助装置に関するものである。
【背景技術】
【０００２】
本考案者は、回転支持部材を介して回転盤をベース盤上に回転自在に載置し、該回転盤の左右に足乗せ部材を配置すると共に、該足乗せ部材を上記回動支持部材を介して回動自在に設置し、使用者が上記左右に足乗せ部材上に乗って立ち、腰を左右に捻るとその反動で上記回転盤も左右に回転し、また、足乗せ部材に乗せた足も捻ることにより、腰の他に足首や更には股関節の運動など、より効果的な運動が得られる運動補助装置を開発した。
【０００３】
しかし、上記運動補助装置は、上記回転盤と足乗せ部材が共に回転自在に構成されているので、使用者が運動を終わって足乗せ部材から降りようとする際に、降りる動作の反動で回転盤が降りる方向と反対側の方向に回転し、使用者が足を掬われた状態で転倒する危険がある。また、足乗せ部材も回動して、全体として複雑かつ不自然な状態で転倒する危険性もある。
【考案の開示】
【考案が解決しようとする課題】
【０００４】
本考案が解決しようとする課題は、使用者が足乗せ部材から安全かつ確実に降りることができる運動補助装置を提供することにある。
【課題を解決するための手段】
【０００５】
本考案の運動補助装置は、回転支持部材を介して回転盤をベース盤上に回転自在に且つ同一回転中心軸上に載置し、該回転盤の左右に足乗せ部材を回動自在に設置して成る運動補助装置において、上記回転盤の直径を上記ベース盤の直径より大きく形成すると共に、上記足乗せ部材を上記ベース盤より外方に配置して、使用者が該足乗せ部材から降りる際に、上記回転盤に片足荷重がかかった時、該回転盤の周縁が床面に接触して、該回転盤の回転を制止するように構成したことを特徴とする。
また、回転支持部材を介して回転盤をベース盤上に回転自在に且つ同一回転中心軸上に載置し、該回転盤の左右に足乗せ部材を回動自在に設置して成る運動補助装置において、上記回転盤の直径を上記ベース盤の直径より大きく形成すると共に、上記足乗せ部材を上記ベース盤より外方に配置し、該ベース盤の中心にスプライン軸を植設すると共に、該スプライン軸の直径より大きなスプライン穴を上記回転盤の中心に形成して、該スプライン穴を上記スプライン軸の周囲に間隙を保った状態で位置せしめ、使用者が上記足乗せ部材から降りる際に、上記回転盤に片足荷重がかかった時、該回転盤が上記ベース盤に対して傾動して、上記スプライン軸と上記スプライン穴が噛み合い、該回転盤の回転を制止するように構成したことを特徴とする。
さらに、回転支持部材を介して回転盤をベース盤上に回転自在に且つ同一中心軸上に載置し、該回転盤の左右に長方形や長楕円形など長形の足乗せ部材を回動自在に設置して成る運動補助装置において、上記回転盤の直径を上記ベース盤の直径より大きく形成して、使用者が該足乗せ部材から降りる際に、上記回転盤に片足荷重がかかった時、上記足乗せ部材が回動して、その長端部が床面に接触し、該回転盤および足乗せ部材の回転を制止するように構成したことを特徴とするものである。
【考案の効果】
【０００６】
本考案の運動補助装置は、使用者が足乗せ部材から安全かつ確実に降りることができる利点がある。
【考案を実施するための最良の形態】
【０００７】
図１は、本考案装置の１実施例を示す構成説明図であって、１は回転盤、２はベース盤、３はボールベアリング等の回転支持部材、４は足乗せ部材である。
【０００８】
上記回転盤１は、上記回転支持部材３を介して上記ベース盤２上に回転自在に且つ同一回転中心軸上に載置されていると共に、該回転盤１の直径を上記ベース盤２の直径より大きく形成する。本実施例では、上記回転支持部材３は多数のボールベアリングから成り、これらのボールベアリングは、上記回転盤１およびベース盤２の各向かい合う面に形成された環状溝に納められていて、回転盤１を回転自在に支持しているが、回転支持部材３はこれに限定するものではなく、例えば、回転盤１とベース盤２を回転中心軸（図示せず）で連結すると共に滑り摩擦により支持する構造など、回転盤１をベース盤２上で回転自在に支持（載置）する構成であればいずれの構成でもよい。
【０００９】
上記回転盤１の左右には、上記足乗せ部材４が配置されている。該足乗せ部材４は上記ベース盤より外方に配置される。該足乗せ部材４は、ボールベアリング等の回動支持部材６を介して取付ベース板５上に回動自在に支持されている。７は支軸である。この構造は回転盤１とベース盤２の間にも適用可能である。
【００１０】
上記実施例では、ボールベアリングにより足乗せ部材４を取付ベース板５上に回動自在に支持するように構成したが、本考案の足乗せ部材４の回動支持手段は、これに限定するものではなく、例えば、足乗せ部材４と取付ベース板５を摩擦接触させると共に、支軸により回動自在に支持する構造など、いずれの構成でも良い。
【００１１】
本実施例の運動補助装置は、以上のように構成されているので、
左右の足乗せ部材４上にそれぞれ足を乗せて前後に動かすと、回転盤１が往復回転し、その結果、腰も捩られる。
また足乗せ部材４の回転を意識的にコントロールして回転盤１を中心Ｃの回りに回転するとより大きな腰の捩りになる。
【００１２】
使用者が上記足乗せ部材４から降りる際に、上記回転盤１に片足荷重がかかると、図２に示すように、該回転盤１が傾動して、その周縁が床面に接触し、上記回転盤１の回転を制止する。なお、該回転盤１の周縁が床面に接触するまで、回転盤１が回転オーバー（例えば、１８０°以上の回転）しないように、適宜回転止め（例えば、回転盤１とベース盤２の相互に向かい合う面の所定位置にストッパを突設して、これらストッパが相互に突き当たって回転盤１の回転オーバーを止める。）を設けるのが好ましい。
【００１３】
図３は、本考案の別の実施例を示すもので、ベース盤２の中心に植設した支軸８の上部分にスプライン軸８ａを設けると共に、回転盤１の中心に該スプライン軸８ａの直径より大きなスプライン穴１ａを形成する。９は架台である。
【００１４】
従って、図４に示すように、上記回転盤１が上記ベース盤２に対して傾動すると、上記スプライン軸８ａと上記スプライン穴１ａが噛み合い、上記回転盤１の回転を制止する。
【００１５】
図５は、本考案の更に別の実施例を示すもので、回転盤１の左右の足乗せ部材４が長方形や長楕円形など長形（長い形）に形成されている場合には、上記足乗せ部材４が回動して回転盤１に片足荷重がかかった時、上記足乗せ部材４の長端部４ａが床面に接触して、該回転盤および足乗せ部材の回転を制止する。
【００１６】
なお、上記足乗せ部材４の上面に、前方を高く後方を低くした傾斜面を形成して（図示せず）、足首や脚後部筋肉にストレッチを与えながら、腰捻り運動を行うこともできる。このストレッチは、図６に示すように、上記ベース盤３を基台１０上に設置し、該基台１０の前端から取っ手１１を立設した構造で、上記基台１０の前部が高くなるように構成しても、実現できる。
【図面の簡単な説明】
【００１７】
【図１】本考案の運動補助装置の一実施例を示す構成説明図である。
【図２】図１の実施例の作用説明図である。
【図３】本考案の運動補助装置の別の実施例を示す構成説明図である。
【図４】図２の実施例の作用説明図である。
【図５】本考案の運動補助装置のまた別の実施例を示す構成説明図である。
【図６】本考案の応用例を示す説明図である。
【符号の説明】
【００１８】
１    回転盤
１ａ  スプライン穴
２    ベース盤
３    回転支持部材
４    足乗せ部材
４ａ  長端部
５    取付ベース板
６    回動支持部材
７    支軸
８    支軸
８ａ  スプライン軸
９    架台
１０  基台
１１  取っ手
【図１】
0003129638.tif 000003
【図２】
0003129638.tif 000004
【図３】
0003129638.tif 000005
【図４】
0003129638.tif 000006
【図５】
0003129638.tif 000007
【図６】
0003129638.tif 000008